(57)【要約】【課題】  構成する部品の品質のバラツキと、組み立て精度のバラツキと、がある場合にも、回転摘みのガタつきを抑制し、摺動音が発生しにくい回転摘みの回転構造およびこれを用いた電子機器を提供する。【解決手段】  装置本体に回転可能に設けられた回転軸に取り付けられた回転摘みの回転構造であって、周方向に沿って連続する環状であり、回転軸が通過する孔を含む第１環状シートおよび第２環状シートを備え、第１環状シートおよび第２環状シートは、第１環状シートの一方面が装置本体に当接し、第２環状シートの一方面が回転摘みに当接し、第１環状シートの他方面と第２環状シートの他方面とが当接して摺動可能に配設される。【選択図】  図１
2020170326.tif 000002
【特許請求の範囲】
【請求項１】
装置本体に回転可能に設けられた回転軸に取り付けられた回転摘みの回転構造であって、
周方向に沿って連続する環状であり、該回転軸が通過する孔を含む第１環状シートおよび第２環状シートを備え、
該第１環状シートおよび該第２環状シートは、該第１環状シートの一方面が該装置本体に当接し、該第２環状シートの一方面が該回転摘みに当接し、該第１環状シートの他方面と該第２環状シートの他方面とが当接して摺動可能に配設される、
回転摘みの回転構造。
【請求項２】
前記第１環状シートおよび前記第２環状シートの前記一方面及び前記他方面が、それぞれ表面摩擦抵抗が小さい樹脂材料で形成された平面である、
請求項１に記載の回転摘みの回転構造。
【請求項３】
前記第１環状シートおよび前記第２環状シートが、それぞれ同一の部材である、
請求項２に記載の回転摘みの回転構造。
【請求項４】
前記装置本体が、前記回転軸を回転可能に固定する固定部と、半径方向における外側で前記第１環状シートの前記一方面と当接する平面部と、を少なくとも備える、
請求項１から３のいずれかに記載の回転摘みの回転構造。
【請求項５】
前記回転摘みが、その中心部に前記回転軸を固定する固定部と、半径方向における外側で前記第２環状シートの前記一方面と当接する筒状部と、を少なくとも備える、
請求項１から４のいずれかに記載の回転摘みの回転構造。
【請求項６】
請求項１から５のいずれかに記載の回転摘みの回転構造を含む、電子機器。
【発明の詳細な説明】
【技術分野】
【０００１】
本発明は、装置本体に設けられた回転摘みの構造、特に、回転摘みのガタつきを抑制する回転構造およびこれを用いた電子機器に関する。
【背景技術】
【０００２】
オーディオ機器などの電子機器では、その筐体を構成するパネル部材に孔を設け、孔から露出する回転摘みをユーザーに回転操作させる回転摘みの構造が設けられる場合がある。このような回転摘みの中には、例えば大きなボリューム（音量）摘まみなどでは、摘みを回転させるときに回転抵抗を付与することにより、重厚感のある操作フィーリングが得られるようにしているものもある。回転摘みは、操作体、ノブ、等と呼称される場合がある。
【０００３】
例えば、特許文献１には、装置本体と回転摘みとの隙間に弾性部材および摺動性部材を積層させてなる環状スペーサを挟み込み、この環状スペーサを回転摘みと摺動させることによって回転抵抗を回転摘みに与えるとともに、回転摘みのガタつきを抑制するようにした回転摘みの回転構造が開示されている。
【０００４】
しかしながら、上記特許文献１に開示された回転摘みの回転構造では、装置本体と回転摘みとの隙間に環状スペーサを隙間なく挟み込むため、当該隙間の大きさが回転摘みの寸法のバラツキ等の影響によって変化すると回転抵抗の大きさも変化してしまうため適切な大きさの回転抵抗を回転摘みに与え難いという問題がある。
【０００５】
また、特許文献２には、装置本体に回転可能に設けられた回転軸に取り付けられた回転摘みに回転抵抗を付与する回転摘みの回転構造であって、装置本体と回転摘みとの間に介装され、周方向に沿って連続する環状シートと、環状シートの固定部を装置本体との間で挟み込んで装置本体に取り付ける取付部材と、固定部よりも環状シートの半径方向における外側で環状シートと当接して回転摘み側へ反らせるように、装置本体に設けられ周方向に沿って連続する環状リブである本体側突起部と、を備え、回転摘みは、環状シートの半径方向における本体側突起部の更に外側で環状シートと当接し、環状シートの反りによって装置本体から離れる方向へ周方向に沿って一様に付勢され、この付勢状態で環状シートと摺動可能に形成され回転抵抗が付与されていることを特徴とする回転摘みの回転構造が開示されている。
【０００６】
ただし、上記特許文献２に開示された回転摘みの回転構造では、環状シートの反りによる付勢力で回転摘みのガタつきを抑制しつつ回転摘みに適度な回転抵抗を付与するので、環状シートの反りを一定に保つには、環状シートの品質のバラツキと、組み立て精度のバラツキと、を可能な限り排除しなくてはならないという難しさがあるという問題がある。環状シートの反りを周方向に沿って一様に付勢することができない場合には、回転抵抗が一様にならずに回転摘みにガタつきが生じ、あるいは、摺動音が発生する、等の問題が生じる場合がある。
【０００７】
【特許文献１】特開２０１０−２５７７１１号公報
【特許文献２】特許第６２８７９７５号公報
【発明の概要】
【発明が解決しようとする課題】
【０００８】
本発明は、上記の従来技術が有する問題を解決するためになされたものであり、その目的は、電子機器の回転摘みのガタつきを抑制する回転構造に関して、特に、構成する部品の品質のバラツキと、組み立て精度のバラツキと、がある場合にも、回転摘みのガタつきを抑制し、摺動音が発生しにくい回転摘みの回転構造およびこれを用いた電子機器を提供することにある。
【課題を解決するための手段】
【０００９】
本発明の回転摘みの回転構造は、装置本体に回転可能に設けられた回転軸に取り付けられた回転摘みの回転構造であって、周方向に沿って連続する環状であり、回転軸が通過する孔を含む第１環状シートおよび第２環状シートを備え、第１環状シートおよび第２環状シートは、第１環状シートの一方面が装置本体に当接し、第２環状シートの一方面が回転摘みに当接し、第１環状シートの他方面と第２環状シートの他方面とが当接して摺動可能に配設される。
【００１０】
好ましくは、本発明の回転摘みの回転構造は、第１環状シートおよび第２環状シートの一方面及び他方面が、それぞれ表面摩擦抵抗が小さい樹脂材料で形成された平面である。
【００１１】
また、好ましくは、本発明の回転摘みの回転構造は、第１環状シートおよび第２環状シートが、それぞれ同一の部材である。
【００１２】
また、好ましくは、本発明の回転摘みの回転構造は、装置本体が、回転軸を回転可能に固定する固定部と、半径方向における外側で第１環状シートの一方面と当接する平面部と、を少なくとも備える。
【００１３】
また、好ましくは、本発明の回転摘みの回転構造は、回転摘みが、その中心部に回転軸を固定する固定部と、半径方向における外側で第２環状シートの一方面と当接する筒状部と、を少なくとも備える。
【００１４】
また、本発明の電子機器は、上記の回転摘みの回転構造を含む。
【００１５】
以下、本発明の作用について説明する。
【００１６】
本発明の回転摘みの回転構造は、装置本体に回転可能に設けられた回転軸に取り付けられた回転摘みのガタつきを抑制する。回転摘みの回転構造は、周方向に沿って連続する環状であり、回転軸が通過する孔を含む第１環状シートおよび第２環状シートを備える。また、本発明の電子機器は、上記の回転摘みの回転構造を含む。
【００１７】
ここで、第１環状シートおよび第２環状シートは、第１環状シートの一方面が装置本体に当接し、第２環状シートの一方面が回転摘みに当接し、第１環状シートの他方面と第２環状シートの他方面とが当接して摺動可能に配設される。第１環状シートおよび第２環状シートは、それぞれ環状の中心の孔に通過する回転軸が支持しているので、装置本体と回転摘とに固定されずに回転可能である。
【００１８】
したがって、回転摘みの回転構造は、第１環状シートの一方面と装置本体との間、または、第１環状シートの他方面と第２環状シートの他方面との間、または、第２環状シートの一方面と回転摘みとの間、の少なくともいずれかで摺動するので、回転摘みを滑らかに摺動させてガタつきを抑制することができる。
【００１９】
好ましくは、第１環状シートおよび第２環状シートは、それぞれの一方面及び他方面が、それぞれ表面摩擦抵抗が小さい樹脂材料で形成された平面であるので、摺動音を発生させることなく摘みを回転させることができる。
【００２０】
第１環状シートおよび第２環状シートは、それぞれ同一の部材を用いることができる。共通の環状シートを用いることができれば、回転摘みの回転構造を構成する部品の種類を増加させずに済むので、工程管理上でも利点がある。
【００２１】
また、回転摘みの回転構造は、装置本体が、回転軸を回転可能に固定する固定部と、半径方向における外側で第１環状シートの一方面と当接する平面部と、を少なくとも備えるのが好ましい。あるいは、回転摘みが、その中心部に回転軸を固定する固定部と、半径方向における外側で第２環状シートの一方面と当接する筒状部と、を少なくとも備えるのが好ましい。構成する部品の品質のバラツキと、組み立て精度のバラツキと、がある場合にも、回転摘みのガタつきを抑制し、摺動音が発生しにくくすることができる。
【発明の効果】
【００２２】
本発明の回転摘みの回転構造は、滑らかな操作フィーリングが得られるようにするとともに、構成する部品の品質のバラツキと、組み立て精度のバラツキと、がある場合にも、回転摘みのガタつきを抑制し、摺動音が発生しにくくすることができる。
【図面の簡単な説明】
【００２３】
【図１】本発明の好ましい実施形態による回転摘みの回転構造を示す電子機器の分解斜視図である。
【図２】本発明の好ましい実施形態による回転摘みの背面側の斜視図である。
【図３】本発明の好ましい実施形態による回転摘みの回転構造を示す断面図である。
【発明を実施するための形態】
【００２４】
以下、本発明の好ましい実施形態による回転摘みの回転構造およびこれを含む電子機器について説明するが、本発明はこれらの実施形態には限定されない。
【実施例１】
【００２５】
図１は、本発明の好ましい実施形態による回転摘みの回転構造を含む電子機器について説明する図である。本実施例の（図示しない）電子機器は、直方体状の筐体を有し、略矩形平板状のフロントパネルを構成する前面パネル１２を有するオーディオ機器であり、図１では回転摘みの回転構造の部分のみを図示している。
【００２６】
また、図２は、回転摘み１４の背面側の構成を示す図である。また、図３は、回転摘み１４の回転構造を示す断面図である。なお、以下では、本発明の説明に不要な構成の図示並びに説明を省略する。もちろん、回転摘みの回転構造を含む電子機器の形態は、本実施例の場合に限定されない。
【００２７】
オーディオ装置等の装置本体は、図１に示すように、前面パネル１２に固定され、前面パネル１２から突出する回転軸１８に回転摘み１４が回転可能に取り付けられ、回転摘み１４はその回転変位量によって、例えば、音量を調節する役割を有している。
【００２８】
装置本体には、回転軸１８の周囲に形成された環状膨出部１３が設けられ、環状膨出部１３と回転摘み１４との間に第１の環状シート２１と第２の環状シート２２とが介装されて挟み込まれる。本実施例では、第１の環状シート２１および第２の環状シート２２は、それぞれ同一の部材を用いている。
【００２９】
第１の環状シート２１および第２の環状シート２２は、例えば、テフロン（登録商標）、ポリカーボネート、ポリプロピレン、ポリイミド等の肉厚の薄い可撓性を有する樹脂であって、それぞれ表面摩擦抵抗が小さい樹脂材料で、平板状に形成されている。環状シート２１および２２は、所定の厚みのシート状（平板状）の部材を金型で打ち抜いて切断して、回転軸１８並びに筒状カバー１９が通過する中心孔２１ｃまたは２２ｃを規定する環状に容易に成形することができる。
【００３０】
したがって、第１の環状シート２１は、一方面２１ａ及びその裏面である他方面２１ｂが、表面摩擦抵抗が小さい樹脂材料で形成された平面を有している。同様に、第２の環状シート２２は、一方面２２ａ及びその裏面である他方面２２ｂが、表面摩擦抵抗が小さい樹脂材料で形成された平面を有している。第１の環状シート２１および第２の環状シート２２は後述するように回転摘み１４に所定の回転抵抗を付与する。
【００３１】
図１または図３に図示するように、回転軸１８を備えるロータリーエンコーダ３０は、前面側から筒状カバー１９の雄ネジ１９ａにナット２８をねじ込んで、前面パネル１２の背面側に配置されているブラケット５０に固定されている。回転軸１８は、筒状カバー１９の中で回転摘み１４によって自由に回転可能であるが、所定の回転抵抗が回転摘み１４と、第１の環状シート２１および第２の環状シート２２によって付与されている。
【００３２】
前面パネル１２の裏面側には、本実施形態におけるオーディオ装置である装置本体のブラケット５０が固定されている。ブラケット５０に形成されている環状膨出部１３は、前面パネル１２の開口１２ａから表側に露出し、またこの開口１２ａは回転摘み１４を前面パネル１２に埋め込む収納室を形成している。回転摘み１４の内端は、前面パネル１２の開口１２ａから更にブラケット５０の環状凹部５０ａに延在している。ブラケット５０から突出する回転軸１８の周囲には、ブラケット５０のカップ状受け５２が設けられ、回転摘み１４の端部を受け入れることができる。
【００３３】
回転軸１８の外周に配置された筒状カバー１９の雄ネジ１９ａには、ナット２８がねじこまれて固定され、回転軸１８が回転可能なようにロータリーエンコーダ３０をカップ状受け５２内にしっかりと固定する。
【００３４】
回転摘み１４は、図２に示すように、アルミニウム等の金属からなる外側筒状部１５と、外側筒状部１５の内側に嵌め込まれた、例えばＡＢＳ樹脂からなる内側筒状部１６とから形成されている。内側筒状部１６の中心には回転軸１８に回転摘み１４を固定する円柱状の支柱部１６ａが形成されている。この支柱部１６ａは、軸方向に沿って２つに分割されており、中心部に回転軸１８を挿通固定するために略Ｄ字状の固定孔１６ｂ（図１参照）が設けられている。内側筒状部１６の背面側端面には、環状リブである摺動部１６ｃが形成されている。
【００３５】
以下に第１の環状シート２１および第２の環状シート２２によって回転摘み１４のガタつきを抑制する機構について説明する。環状膨出部１３の端面には、半径方向における外側で第１の環状シート２１の一方面２１ａと当接する平面部が形成されている。つまり、この円環状の環状膨出部１３の平面は、第１の環状シート２１の一方面２１ａの外周側と周方向に沿って一様に当接する。
【００３６】
第１の環状シート２１と第２の環状シート２２は、第１の環状シート２１の他方面２１ｂと第２の環状シート２２の他方面２２ｂとが当接するように配置される。その結果、第２の環状シート２２の一方面２２ａが回転摘み１４に当接する。具体的には、第２の環状シート２２の一方面２２ａは、内側筒状部１６の摺動部１６ｃにおいて当接する。つまり、この回転摘み１４の摺動部１６ｃは、第２の環状シート２２の一方面２２ａの外周側と周方向に沿って一様に当接する。
【００３７】
このように、回転摘み１４は、装置本体のブラケット５０との間に第１の環状シート２１と第２の環状シート２２とを介装する。摺動部１６ｃは、第２の環状シート２２と摺動可能に配置されており、また、第２の環状シート２２は第１の環状シート２１と摺動可能に配置されており、ともに回転摘み１４のガタつきを抑制する。
【００３８】
第１の環状シート２１および第２の環状シート２２は、それぞれ環状の中心の孔２１ｃまたは２２ｃを通過する回転軸１８の外周に配置された筒状カバー１９が支持しているので、装置本体のブラケット５０と回転摘み１４とに固定されずに回転可能である。したがって、本実施形態に係る回転構造によれば、第１の環状シート２１と第２の環状シート２２によって回転摘み１４のガタつきを抑制しつつ回転摘み１４に適度な回転抵抗を付与することができる。
【００３９】
つまり、この回転摘み１４の回転構造は、第１の環状シート２１の一方面２１ａと装置本体のブラケット５０との間、または、第１の環状シート２１の他方面２１ｂと第２の環状シート２２の他方面２２ｂとの間、または、第２の環状シート２２の一方面２２ａと回転摘み１４の摺動部１６ｃとの間、の少なくともいずれかで摺動するので、回転摘み１４を滑らかに摺動させてガタつきを抑制することができる。
【００４０】
また、第１の環状シート２１と第２の環状シート２２には、予め反りによる付勢力を与えないので、環状シートの品質のバラツキ、並びに、組み立て精度のバラツキの影響を比較的に抑えることが可能になる。仮に、第１の環状シート２１と第２の環状シート２２のいずれか部品の寸法公差の範囲であっても反って平面状になっていない場合には、回転摘み１４が滑らかに摺動しなくなる恐れがあるものの、この回転摘み１４の回転構造では、第１の環状シート２１と第２の環状シート２２の両面が、それぞれ表面摩擦抵抗が小さい樹脂材料で形成されているので、いずれかの間で滑らかに摺動できる利点がある。
【００４１】
特に、第１の環状シート２１と第２の環状シート２２とが摺動可能に配置されているので、回転摘み１４のガタつきが発生して回転摘み１４の内側筒状部１６の摺動部１６ｃと第２の環状シート２２の一方面２２ａが強く当接して回転抵抗が大きくなる場合でも、大きな摺動音が発生するのを防ぐことができる。
【００４２】
なお、本発明に係る回転摘みの回転構造によれば、上述した実施形態およびその変形例の構成に限定されるものではなく、本願の特許請求の範囲に記載された事項およびその均等の範囲内で種々の改良や変更が可能であることはいうまでもない。
【００４３】
本実施例の第１の環状シート２１および第２の環状シート２２は、表面摩擦抵抗が小さい樹脂材料で形成されているが、他の材料からなる所定の厚みの平板状の基材を備え、その両方の平面にそれぞれ表面摩擦抵抗が小さい樹脂材料を含む層を設けるものであってもよい。例えば、金属板、あるいは、ＡＢＳ、ＰＣ、ＰＥ等の樹脂の平板環状の部材の表面および裏面に、薄いテフロン（登録商標）のシートをそれぞれ貼り付けたものであってもよい。
【産業上の利用可能性】
【００４４】
本発明の回転摘みの回転構造は、オーディオ機器などの据え置き型の電子機器に限らず、小型の携帯型の電子機器の筐体に取り付ける回転摘みに適用するものであってもよい。
【符号の説明】
【００４５】
１２          前面パネル
１４          回転摘み
１６          内側筒状部
１６ｃ        摺動部
１８          回転軸
１９          筒状カバー
２１、２２    環状シート
【図１】
2020170326.tif 000003
【図２】
2020170326.tif 000004
【図３】
2020170326.tif 000005